(57)【要約】【課題】収納庫の扉のスイング開閉と引出し開閉をそれぞれ容易に行うことのできるフロアーキャビネットを提供する。【解決手段】収納庫２に引出箱３を備えたフロアーキャビネット１であって、収納庫２の開口全面を覆う扉４は、引出箱３の側壁面３１とヒンジ５結合し、扉４表面のハンドル６を把持してスイング開閉することができるとともに、この扉４は、ハンドル６に連動して上下方向に移動自在なストッパー部材７を裏面に有し、ハンドル６操作によってストッパー部材７を引出箱前壁面３３に係合させると、ハンドル６を把持して引出箱２とともに前後に引出し開閉できることを特徴とする。【選択図】図１
2007289338.tif 000002
【特許請求の範囲】
【請求項１】
収納庫に引出箱を備えたフロアーキャビネットであって、収納庫の開口全面を覆うように配置された扉は、引出箱の側壁面とヒンジ結合され、扉表面のハンドルを把持してスイング開閉することができるとともに、この扉は、ハンドルに連動して上下方向に移動自在なストッパー部材を裏面に有し、ハンドル操作によってストッパー部材を引出箱前壁面に係合させると、ハンドルを把持して引出箱とともに前後に引出し開閉できることを特徴とするフロアーキャビネット。
【請求項２】
ハンドルとは別の把手を扉表面に有することを特徴とする請求項１のフロアーキャビネット。
【発明の詳細な説明】
【技術分野】
【０００１】
本発明は、洗面化粧台やシステムキッチン等の下層部を構成するフロアーキャビネットに関する。
【背景技術】
【０００２】
洗面化粧台やシステムキッチン等の下層部を構成するフロアーキャビネットは、その収納庫の扉としてスイング開閉タイプ（２枚扉の場合は観音開きタイプ）または引出し開閉タイプのいずれかが一般的である。扉がスイング開閉タイプの場合は、扉の開閉操作が簡便であり、しかも収納庫手前の収納物の出し入れは容易であるが、収納庫の位置が低いために奥にある収納物の出し入れが困難であるといった不都合がある。一方、引出し開閉タイプの場合は、収納庫内の引出箱と扉が一体化しており、扉を引き出すことによって収納物を積載した引出箱が引き出されるため、収納庫の奥の収納物を出し入れすることは容易である。ただし、扉の開閉には収納物を積載した引出箱の移動を常に伴うため、スイング開閉タイプの扉と比較して開閉操作には大きな力を必要とする。
【０００３】
このようなスイング開閉タイプ扉と引出し開閉タイプ扉のそれぞれの長所をいかしつつ、各々の短所を補うものとして、収納庫内に嵌合する引出箱の前面壁をスイング開閉扉としたフロアーキャビネットを含むシステムキッチン（特許文献１）や、引出箱の前壁面を前倒し開閉する引出し式収納容器（特許文献２）が提案されている。すなわちこの特許文献１のシステムキッチンにおけるフロアーキャビネットや特許文献２の収納容器は、引出箱自体を引き出すことによって収納庫奥に収納物を出し入れすることが可能であるとともに、引出箱の前壁面を扉として利用することによって、引出箱前方の収納物を扉開閉によって出し入れすることができるようになっている。
【０００４】
特許文献１のシステムキッチンにおけるフロアーキャビネットや特許文献２の引出し式収納容器の場合には、引出箱前面の扉は磁性係止によって引出箱に系止されている。そして、扉の表面には把手が設けられており、この把手を手前に引き出すことによって、磁性系止が解かれ、扉は容易に開くことが可能となる。しかしながら、引出箱本体を手前に引き出そうとする際には、扉表面の把手を介した引出し操作は極めて困難である。扉の磁性系止が簡単に解かれ、扉が容易にスイング開きすることが障害となるからである。
【特許文献１】特開２００５−５３１号公報（特に、図４、図５）
【特許文献２】特開２００５−６５９３３号公報（特に、図１）
【発明の開示】
【発明が解決しようとする課題】
【０００５】
本発明は、このような事情に鑑みてなされたものであり、従来の問題点を解消し、収納庫の扉のスイング開閉と引出し開閉をそれぞれ容易に行うことのできる新しいフロアーキャビネットを提供することを課題としている。
【課題を解決するための手段】
【０００６】
本発明は、上記の課題を解決するために、第１に、収納庫に引出箱を備えたフロアーキャビネットであって、収納庫の開口全面を覆うように配設された扉は、引出箱の側壁面とヒンジ結合され、扉表面のハンドルを把持してスイング開閉することができるとともに、この扉は、ハンドルに連動して上下方向に移動自在なストッパー部材を裏面に有し、ハンドル操作によってストッパー部材を引出箱前壁面に係合させると、ハンドルを把持して引出箱とともに前後に引出し開閉できることを特徴とする。
【０００７】
本発明は、第２に、前記ハンドルとは別の把手を扉表面に有することを特徴とする。
【発明の効果】
【０００８】
本願の第１の発明によれば、扉表面のハンドル操作によって、収納庫内の収納物の取出しに応じて、引出箱とを分離した状態で扉をスイング開閉することができ、また引出箱と連結した状態で扉を引出し開閉することができる。
【０００９】
本願の第２の発明によれば、扉と引出箱との分離・連結のためのハンドルとは別体の把手を介して、あるいはハンドルと把手の両方を介して扉の開閉を行うことができ、扉の開閉操作がより簡便かつ確実となる。
【発明を実施するための最良の形態】
【００１０】
図１は本発明のフロアーキャビネットの一実施形態を示した斜視図である。
【００１１】
このフロアーキャビネット１は、収納庫２内に引出箱３を備え、この引出箱３の側面３１前端に立設片３２が延設しており、収納庫２の開口全面を覆う扉４が立設片３２とヒンジ５を介して結合している。これによって、扉４は、ヒンジ５を支点としてスイング開閉する。このような扉４のスイング開閉は、扉４表面のハンドル６を把持して行うことができる。
【００１２】
扉４は、その裏面に、ハンドル６と連動して上下に回動自在なストッパー部材７を有している。ハンドル６を操作してストッパー部材７を下向きに回動させると図２に示したように、ストッパー部材７の先端は、引出箱３の前壁面３３に係合する。この状態でハンドル６を把持して扉４を引き出せば、図３に示したように、扉４はスイング開閉することなく、扉４と結合して引出箱３が引き出される。
【００１３】
また、図３に例示したように、扉４の表面には、ハンドル６とは別体の把手８を設けることも好ましい。扉４のスライド開閉や引出し開閉をこの把手８の操作によって行うことにより、特に多くの収納物を引出箱３に積載した状態で引出し開閉を行う場合などでは、安定した扉４の開閉が可能となる。
【００１４】
もちろん本発明は以上の例に限定されるものではなく、細部の構成等については様々な態様が可能である。
【００１５】
例えば、ストッパー部材は、図１、図２に例示したような回動自在なものの他に、例えば上下にスライド自在なものであってもよい。
【００１６】
また、ハンドル（ストッパー部材）の設置位置は適宜選択することができ、特に、図３に例示したようにハンドル６とは別体の把手８を設ける場合には、把持しやすく、かつストッパー部材７と引出箱前壁面３３との係合が強固となるようなハンドル位置を選択することができる。さらに、把手は、図３に例示したようなハンドル６と同一形状のものを、ハンドル６と平行に固定設置してもよい。例えば、扉４をスイング開閉する場合には、一方のハンドルを把持して操作し、扉４を引出し開閉する場合には、ハンドルと固定把手の両方を把持して操作する。
【００１７】
またさらに、引出箱３は、図１−３に例示したような立設片３１が延設したものの他に、例えば、ヒンジ５を固定する壁面全体が伸長したものや、前壁面３３以外の３壁面伸長して、引出箱３が収納庫２の内部に嵌合するようなものであってもよい。そして、引出箱３にヒンジ結合した扉４が安定するように、引出箱３は、例えば収納庫２の内壁面へのレール固定等によって安定設置することも好ましい。
【００１８】
以上例示したような本発明のフロアーキャビネットは、例えば洗面化粧台やシステムキッチン等の下層部を構成するものとして使用される他、収納タンスや書庫、デスク等の下層部に位置する収納スペースを構成するものに適用可能である。
【図面の簡単な説明】
【００１９】
【図１】本発明のフロアーキャビネットの一実施形態として、扉をスイング開閉した状態を例示した斜視図である。
【図２】図１に示したフロアーキャビネネットにおける扉と引出箱とを例示した斜視図である。
【図３】図１に例示したフロアーキャビネットの扉を引出し開閉した状態を例示した斜視図である。
【符号の説明】
【００２０】
１フロアーキャビネット
２収納庫
３引出箱
３１側面
３２立設片
３３前壁面
４扉
５ヒンジ
６ハンドル
７ストッパー部材
８把手
【図１】
2007289338.tif 000003
【図２】
2007289338.tif 000004
【図３】
2007289338.tif 000005